(57)【要約】【課題】番組を含むコンテンツが記録されたファイルにおいてコンテンツの終了位置を容易にサーチできる記録再生装置を提供する。【解決手段】番組を含むコンテンツが記録されたファイルにおいて前記コンテンツの終了位置４６をサーチする記録再生装置１００であって、前記ファイルの記録が終了した時間４４と、前記コンテンツの時間の長さに基づいて、前記ファイルにおける前記コンテンツの終了位置をサーチする。前記コンテンツが終了した時間が、前記コンテンツの時間の長さの倍数であって前記ファイルの記録が終了した時間に最も近い時間として求められ、前記コンテンツが終了した時間に基づいて、前記ファイルにおける前記コンテンツの終了位置をサーチする。【選択図】        図３
2006179129.tif 000002
【特許請求の範囲】
【請求項１】
番組を含むコンテンツが記録されたファイルにおいて前記コンテンツの終了位置をサーチする記録再生装置であって、
前記ファイルの記録が終了した時間と、前記コンテンツの時間の長さに基づいて、前記ファイルにおける前記コンテンツの終了位置をサーチする
ことを特徴とする記録再生装置。
【請求項２】
請求項１記載の記録再生装置において、
前記コンテンツが終了した時間が、前記コンテンツの時間の長さの倍数であって前記ファイルの記録が終了した時間に最も近い時間として求められ、
前記コンテンツが終了した時間に基づいて、前記ファイルにおける前記コンテンツの終了位置をサーチする
ことを特徴とする記録再生装置。
【請求項３】
請求項２記載の記録再生装置において、
前記コンテンツが終了した時間と、前記ファイルの記録が開始された時間に基づいて、前記ファイルにおける前記コンテンツの終了位置をサーチする
ことを特徴とする記録再生装置。
【請求項４】
番組を含むコンテンツが記録されたファイルにおいて前記コンテンツの開始位置をサーチする記録再生装置であって、
前記ファイルの記録が開始された時間と、前記コンテンツの時間の長さに基づいて、前記ファイルにおける前記コンテンツの開始位置をサーチする
ことを特徴とする記録再生装置。
【請求項５】
請求項４記載の記録再生装置において、
前記コンテンツが開始された時間が、前記コンテンツの時間の長さの倍数であって前記ファイルの記録が開始された時間に最も近い時間として求められ、
前記コンテンツが開始された時間に基づいて、前記ファイルにおける前記コンテンツの開始位置をサーチする
ことを特徴とする記録再生装置。
【請求項６】
請求項５記載の記録再生装置において、
前記コンテンツが開始された時間と、前記ファイルの記録が開始された時間に基づいて、前記ファイルにおける前記コンテンツの開始位置をサーチする
ことを特徴とする記録再生装置。
【請求項７】
請求項３または６に記載の記録再生装置において、
前記ファイルの記録が開始された時間は、前記ファイルの記録が終了した時間と、前記ファイルの記録が行なわれた時間の長さに基づいて求められる
ことを特徴とする記録再生装置。
【請求項８】
請求項１から７のいずれか１項に記載の記録再生装置において、
前記コンテンツの時間の長さは、ＥＰＧ又はＧコードを含む予めコンテンツの時間の長さが登録されているコンテンツ指定システムを用いて前記コンテンツが指定されることにより、前記記録再生装置に入力される
ことを特徴とする記録再生装置。
【請求項９】
番組を含むコンテンツが記録されたファイルにおいて前記コンテンツの終了位置をサーチする記録再生装置であって、
前記ファイルの記録が終了した時点の前記ファイルのデータ量と、前記コンテンツのデータ量に基づいて、前記ファイルにおける前記コンテンツの終了位置をサーチする
ことを特徴とする記録再生装置。
【請求項１０】
請求項９記載の記録再生装置において、
前記ファイルにおける前記コンテンツの終了位置が、前記コンテンツのデータ量の倍数であって前記ファイルの記録が終了した時点の前記ファイルのデータ量に最も近いデータ量に基づいて求められる
ことを特徴とする記録再生装置。
【請求項１１】
番組を含むコンテンツが記録されたファイルにおいて前記コンテンツの開始位置をサーチする記録再生装置であって、
前記ファイルの記録が終了した時点の前記ファイルのデータ量と、前記コンテンツのデータ量に基づいて、前記ファイルにおける前記コンテンツの開始位置をサーチする
ことを特徴とする記録再生装置。
【請求項１２】
請求項１１記載の記録再生装置において、
前記ファイルにおける前記コンテンツの開始位置が、前記コンテンツのデータ量の倍数であって前記ファイルの記録が開始された時点の前記ファイルのデータ量に最も近いデータ量に基づいて求められる
ことを特徴とする記録再生装置。
【請求項１３】
請求項９から１２のいずれか１項に記載の記録再生装置において、
前記コンテンツのデータ量は、ＥＰＧ又はＧコードを含む予めコンテンツの時間の長さが登録されているコンテンツ指定システムを用いて前記コンテンツが指定されることにより、求められる
ことを特徴とする記録再生装置。
【請求項１４】
請求項１から３，９及び１０のいずれか１項に記載の記録再生装置において、
前記ファイルの早送り中または再生中に前記ファイルにおける前記コンテンツの終了位置がサーチまたは検出されたときには、予め設定された再生状態に移行する
ことを特徴とする記録再生装置。
【請求項１５】
請求項４から６，１１及び１２のいずれか１項に記載の記録再生装置において、
前記ファイルの早戻し中または逆転再生中に前記ファイルにおける前記コンテンツの開始位置がサーチまたは検出されたときには、予め設定された再生状態に移行する
ことを特徴とする記録再生装置。
【請求項１６】
請求項１から３，９及び１０のいずれか１項に記載の記録再生装置において、
前記ファイルの記録が開始された時間と、前記コンテンツの時間の長さに基づいて、前記ファイルにおける前記コンテンツの開始位置をサーチし、
前記ファイルにおいて前記コンテンツの開始位置から前記コンテンツの終了位置までの範囲を他のファイルとしてダビング又はコピーする機能を有する
ことを特徴とする記録再生装置。
【請求項１７】
請求項１から３，９及び１０のいずれか１項に記載の記録再生装置において、
前記ファイルの記録が開始された時間と、前記コンテンツの時間の長さに基づいて、前記ファイルにおける前記コンテンツの開始位置をサーチし、
前記ファイルにおいて前記コンテンツの開始位置から前記コンテンツの終了位置までの範囲を除く領域のデータを削除する機能を有する
ことを特徴とする記録再生装置。
【請求項１８】
請求項１６記載の記録再生装置において、
前記ファイルにおいて前記コンテンツの開始位置から前記コンテンツの終了位置までの範囲を除く領域のデータを削除する
ことを特徴とする記録再生装置。
【発明の詳細な説明】
【技術分野】
【０００１】
本発明は、記録再生装置に関し、特に、番組を含むコンテンツが記録されたファイルにおいてコンテンツの終了位置又は開始位置を容易にサーチ可能な記録再生装置に関する。
【背景技術】
【０００２】
例えば、ＤＶＤ記録再生装置、ＨＤＤ記録再生装置、又は、ＨＤＤ付ＤＶＤ記録再生装置のような記録再生装置において、テレビ番組のようなコンテンツをタイマー録画（録画予約）する場合、番組の先頭部分や最後の部分が欠けたりすることを防止するために、タイマーにて設定される録画開始時刻がテレビ番組の放送開始予定時刻よりも早めに設定されたり、録画終了時刻がテレビ番組の放送終了予定時刻よりも遅めに設定されることがある。同様に、録画予約ではなく、ユーザがマニュアルで録画開始や録画終了の操作をした場合においても、番組時間の前後に余裕をもって録画することがある。
【０００３】
上記のように、録画されたファイルを保存データとして残す場合、ファイルの先頭付近の番組開始前の不要部分やファイルの終端付近の番組終了後の不要部分を削除してから保存することが多い。しかし、不要部分をカットするために、録画済みファイルを分割する場合に、早送り再生または早戻し再生のスピードを高速にして再生すると、ファイル終端部分近辺又はファイル開始部分付近での分割ポイント（番組エンドポイント又は番組スタートポイント）の検索が簡単に実行できない（分割ポイントよりも送り過ぎてしまったり、戻し過ぎてしまったりする）。
【０００４】
特開２００１−２４９７７号公報（特許文献１）には、任意の位置の頭出しを行う際の複雑な操作を不要にし、また映像・音声について判断が容易で、任意の位置の頭出しを確実に行う映像録画再生装置として、数秒の通常（１倍速）再生と数分の高速早送り（巻き戻し）との組み合わせでの特殊再生を自動的に連続して行う機能を提供するものであり、例えば５分間隔で５秒の映像を通常再生する（５秒通常再生しては、５分先まで瞬時に高速早送り、または高速巻き戻しを行なって、次の５秒を通常の再生速度で再生する）という操作を自動的に連続して行なうものが開示されている。
【０００５】
【特許文献１】特開２００１−２４９７７号公報
【発明の開示】
【発明が解決しようとする課題】
【０００６】
番組を含むコンテンツが記録されたファイルにおいて、番組終了ポイントを含むコンテンツの終了位置を容易にサーチできることが望まれている。
同様に、番組を含むコンテンツが記録されたファイルにおいて、番組スタートポイントを含むコンテンツの開始位置を容易にサーチできることが望まれている。
【０００７】
本発明の目的は、番組を含むコンテンツが記録されたファイルにおいてコンテンツの終了位置を容易にサーチできる記録再生装置を提供することである。
本発明の他の目的は、番組を含むコンテンツが記録されたファイルにおいてコンテンツの開始位置を容易にサーチできる記録再生装置を提供することである。
【課題を解決するための手段】
【０００８】
請求項１記載の発明は、番組を含むコンテンツが記録されたファイルにおいて前記コンテンツの終了位置をサーチする記録再生装置であって、前記ファイルの記録が終了した時間と、前記コンテンツの時間の長さに基づいて、前記ファイルにおける前記コンテンツの終了位置をサーチすることを特徴としている。
【０００９】
請求項４記載の発明は、番組を含むコンテンツが記録されたファイルにおいて前記コンテンツの開始位置をサーチする記録再生装置であって、前記ファイルの記録が開始された時間と、前記コンテンツの時間の長さに基づいて、前記ファイルにおける前記コンテンツの開始位置をサーチすることを特徴としている。
【００１０】
請求項９記載の発明は、番組を含むコンテンツが記録されたファイルにおいて前記コンテンツの終了位置をサーチする記録再生装置であって、前記ファイルの記録が終了した時点の前記ファイルのデータ量と、前記コンテンツのデータ量に基づいて、前記ファイルにおける前記コンテンツの終了位置をサーチすることを特徴としている。
【００１１】
請求項１１記載の発明は、番組を含むコンテンツが記録されたファイルにおいて前記コンテンツの開始位置をサーチする記録再生装置であって、前記ファイルの記録が開始された時点の前記ファイルのデータ量と、前記コンテンツのデータ量に基づいて、前記ファイルにおける前記コンテンツの開始位置をサーチすることを特徴としている。
【発明を実施するための最良の形態】
【００１２】
以下、本発明の記録再生装置の一実施形態につき図面を参照しつつ詳細に説明する。
【００１３】
（第１実施形態）
図１から図３を参照して、本実施形態の記録再生装置の第１実施形態について説明する。図１は、本実施形態の記録再生装置の概略構成を示すブロック図であり、図２は、記録再生装置によって表示される表示画面の例を示す図であり、図３は、本実施形態の動作を示すフローチャートである。本実施形態では、記録再生装置によりエンドポイントのサーチに対象となるコンテンツの一例として、テレビ番組について説明するが、コンテンツはテレビ番組に限定されない。
【００１４】
図１に示すように、本実施形態の記録再生装置１００は、ＨＤＤ付ＤＶＤ記録再生装置である。記録再生装置１００は、映像音声データを読み書きする第１及び第２の映像音声記録部１１０，１２０と、第１及び第２の映像音声記録部１１０，１２０の制御及び映像音声の再生処理を行う映像音声記録再生処理部１３０と、入力装置（リモコン）１４１からの操作指示を入力するイベント処理部１４０と、映像音声再生時に表示装置１５１に映像を出力する表示回路１５０と、映像音声再生時にスピーカ１６１に音声を出力する音声再生回路１６０と、映像音声ソース（ＴＶチューナなど）１７１からの映像音声データを入力する映像音声入力部１７０と、録画されたファイルの中から番組のスタート又はエンドポイントをサーチする番組ポイントサーチ部１８０とを備えている。
【００１５】
第１の映像音声記録部１１０は、例えばＨＤＤ装置であり、第２の映像音声記録部１２０は例えばＤＶＤ装置である。第１及び第２の映像音声記録部１１０，１２０は、それぞれ、映像音声記録媒体１１１，１２１と、映像音声読み書き部１１２，１２２とを備えている。映像音声読み書き部１１２，１２２は、それぞれ映像音声記録再生処理部１３０の指示を受けて、映像音声記録媒体１１１，１２１への映像音声の記録、再生を行なう。第１及び第２の映像音声記録部１１０，１２０は、映像音声入力部１７０にて入力した映像音声ソース１７１からの映像音声データを映像音声記録再生処理部１３０の指示に基づいて記録する。
【００１６】
映像音声記録再生処理部１３０は、録画終了時刻や録画時間や再生時間をカウントするためのタイマー１３２を有している。イベント処理部１４０は、入力装置１４１から録画予約又は番組ポイントサーチの指示を入力したときに、録画対象の番組又はサーチの対象となる番組の番組時間（何時間の番組か、番組の時間の長さ、番組が占める時間、以下この時間を単位時間と称する）を取得する単位時間取得部１４２を有している。
【００１７】
番組ポイントサーチ部１８０は、番組エンドポイントサーチ部１８１と、番組スタートポイントサーチ部１８２とを備えている。番組エンドポイントサーチ部１８１は、入力装置１４１からイベント処理部１４０を介して入力処理された番組エンドポイントサーチ指令を映像音声記録再生処理部１３０の指示に基づいて実行する（番組エンドポイントサーチモードにする）。番組スタートポイントサーチ部１８２は、入力装置１４１からイベント処理部１４０を介して入力処理された番組スタートポイントサーチ指令を映像音声記録再生処理部１３０の指示に基づいて実行する（番組スタートポイントサーチモードにする）。
【００１８】
記録再生装置１００では、ユーザにより入力装置１４１を介してタイマー録画の設定が行なわれると、その録画対象の番組の先頭部分や終了部分の欠落を防止すべく、その番組の放送開始予定時刻よりも早い時期から録画が開始され、その番組の放送終了予定時刻よりも遅い時期まで録画が行なわれる。同様に、録画予約ではなく、ユーザがマニュアルで録画開始や録画終了の操作をした場合においても、番組時間の前後に余裕をもって録画することがある。
【００１９】
ユーザにとっては、録画されたデータファイルのうち、番組以外のデータは不要であるため、本実施形態では、番組開始時刻に対応するポイント（番組スタートポイント）と番組終了時刻に対応するポイント（番組エンドポイント）を検出して、各ポイントを基準にして、不要データ（番組以外のデータ）の削除をできるようにする。
【００２０】
ここで、番組録画の開始時刻が実際の番組の放送開始時刻に対してどの位早いか、また、番組録画の終了時刻が実際の番組の放送終了時刻に対してどの位遅いかが予め分っていれば、その時刻分のデータを削除すればよいが、必ずしも正確に分っている訳ではない。このような前提では、以下に述べるように、録画したデータファイルの中から番組エンドポイントと番組スタートポイントを正確に求める必要がある。
【００２１】
図２に示すように、本実施形態の記録再生装置１００において、番組エンドポイントサーチモード又は番組スタートポイントサーチモードに設定されると、表示回路１５０は、映像音声記録再生処理部１３０の指示に従って、表示装置１５１のモニタ画面（テレビ画面）に、サーチの対象となる番組のデータファイルのイメージ画像４０を表示する。イメージ画像４０には、録画日付（２００４年７月２６日）４１と、番組名（「ドラマスペシャル」）４２と、録画開始時刻（データファイルの記録開始時刻）４３と、録画終了時刻（データファイルの記録終了時刻）４４と、番組スタートポイント４５と、番組エンドポイント４６と、現在ポイント４７とが表示される。
【００２２】
なお、図３の番組エンドポイントサーチ又は図５の番組スタートポイントサーチの動作が開始される前は、録画開始時刻４３と、番組スタートポイント４５と、番組エンドポイント４６と、現在ポイント４７は、未知であるため、表示されておらず、イメージ画像４０には、録画の終了時点にて分っている、録画日付４１と、番組名４２と、録画終了時刻４４のみが表示されている。
【００２３】
番組エンドサーチキー３１及び番組スタートサーチキー３２は、入力装置１４１に設けられ、ユーザにより操作される。番組エンドサーチキー３１は、記録再生装置１００に録画されたデータファイルの中から番組エンドポイントをサーチする指令を出力するためのキーである。番組スタートサーチキー３２は、記録再生装置１００に録画されたデータファイルの中から番組スタートポイントをサーチする指令を出力するためのキーである。
【００２４】
次に、図３及び図２を参照して、本実施形態の動作について説明する。
【００２５】
［ステップＳ１］
ステップＳ１では、映像音声記録再生処理部１３０により、番組エンドサーチキー３１がユーザにより操作されて押し下げられている（番組エンドポイントサーチ指令が入力されている）か否かが判定される。番組エンドサーチキー３１では、エンドポイントのサーチの対象となる番組が指定されてもよいし、再生中の番組を対象としてもよい。
【００２６】
番組エンドサーチキー３１が押し下げられているときに、番組エンドポイントサーチモードに入り、番組エンドポイントサーチ部１８１が、映像音声記録媒体１１１又は１２１に録画されたサーチの対象となる番組のデータファイルの中から、番組のエンドポイント（番組エンドポイント４６）をサーチする。
【００２７】
ここで、番組エンドポイント４６とは、ファイルデータ上において、録画された番組が終了した時刻に対応する位置を意味している。なお、ファイルデータ上のある特定の位置（番組エンドポイント４６や番組スタートポイント４５）と、そのファイルデータ上のある特定の位置が録画された時刻とは、相互に変換（換算）可能である。即ち、データファイルの記録終了時刻（録画終了時刻４４）と、そのデータファイルのデータサイズから求められる再生時間に基づいて、データファイル上の位置と時刻の変換は自在に可能である。
【００２８】
ステップＳ１の判定の結果、番組エンドサーチキー３１が押し下げられているときには、ステップＳ２に進む（そうでない場合には、番組エンドサーチキー３１が押し下げられるまで、ステップＳ１で待機状態とされる）。
【００２９】
［ステップＳ２］
ステップＳ２において、映像音声記録再生処理部１３０は、サーチの対象となっている番組のデータファイルが映像音声読み書き部１１２又は１２２によって、再生中であるか否かを判定する。本実施形態の番組エンドポイントサーチモードは、録画された番組が含まれるデータファイルを再生しつつ、番組エンドポイントを算出し、そのデータファイルのうち現在再生しているポイント（現在ポイント）がその番組エンドポイントに到達したときに、そのファイルデータの再生状態からポーズ状態に移行するものである。
【００３０】
このように、番組エンドポイントサーチモードは、ファイルデータの再生中に番組エンドポイントをサーチするという前提であるため、ステップＳ２では、ファイルデータの再生中であるか否かが判定される。ステップＳ２の判定の結果、ファイルデータの再生中であるときに、ステップＳ３に進む（そうでない場合には、ステップＳ１に戻る）。
【００３１】
［ステップＳ３］
ステップＳ３において、映像音声記録再生処理部１３０により、再生中のデータファイル（再生ファイル）のデータ上において、番組エンドポイント４６を算出済みか否かが判定される。ステップＳ３の判定の結果、番組エンドポイント４６を算出済みであれば（ステップＳ３−Ｙ）、以下のステップＳ４〜ステップＳ７の番組エンドポイント４６を算出するためのステップは行なわれずに、ステップＳ８に進む。一方、番組エンドポイント４６を算出済みではない場合には、ステップＳ４に進む。
【００３２】
［ステップＳ４］
ステップＳ４では、番組エンドポイントサーチ部１８１によって、再生ファイルの記録開始時刻（録画開始時刻４３）が求められる。ここで、再生ファイルの記録開始時刻は、再生ファイルの記録終了時刻（録画終了時刻４４）から、再生ファイルのデータサイズから求められる再生ファイルの再生時間を引いた時刻に相当する。
【００３３】
ここで、映像音声記録再生処理部１３０のタイマー１３２において、録画が終了した時刻は記録されているため、再生ファイルの記録終了時刻（録画終了時刻４４）は、既知である。よって、図２のイメージ画像４０において、録画が終了した直後から、録画終了時刻４４は表示される。また、映像音声記録再生処理部１３０において、再生ファイルのデータサイズは既知であり、また、そのデータサイズのデータを再生したときの再生時間もそのデータサイズに基づいて、容易に求められる。
【００３４】
具体的に説明すると、本例では、再生ファイルの記録終了時刻（録画終了時刻４４）は、１９時１分であり、再生ファイルの再生時間は、１時間２分であるとする。この場合、再生ファイルの記録開始時刻は、１９時１分から１時間２分を引いた、１７時５９分となる。これにより、録画開始時刻４３が求められ、図２のイメージ画像４０上において、録画開始時刻４３は、１７時５９分であるとして表示される。ステップＳ４の次にステップＳ５が行われる。
【００３５】
[ステップＳ５]
ステップＳ５では、番組エンドポイントサーチ部１８１により、再生ファイルの番組エンド時刻（番組エンドポイント４６に対応する時刻）が求められる。ここで、番組エンド時刻を求めるに際しては、録画した番組の上記単位時間のデータが記録再生装置１００において必要とされる。以下に、ユーザが録画したい番組の単位時間のデータを記録装置１００が取得する方法について説明する。
【００３６】
ユーザがＥＰＧ（Ｅｌｅｃｔｒｏｎｉｃ  Ｐｒｏｇｒａｍ  Ｇｕｉｄｅ）やＧコードのような予め番組の時間の長さが登録されている番組指定システムを用いて、入力装置１４１を介してイベント処理部１４０に対して、録画したい番組を指定してタイマー録画の設定を行った場合には、そのＥＰＧやＧコードを用いた入力方法により、その録画したい番組の単位時間が単位時間取得部１４２において取得される。
【００３７】
一方、ユーザがＥＰＧやＧコードを用いることなく、入力装置１４１をマニュアルで操作して録画開始時刻と録画終了時刻を入力してタイマーを設定した場合又は、録画予約ではなくリアルタイムで録画の開始操作又は録画の終了操作を行なった場合には、記録再生装置１００では、ユーザが録画したい番組の単位時間が分からない。
【００３８】
例えば、ユーザは、複数の番組を連続して録画する場合があり、この場合には、連続録画をする複数の番組のうちの最初の番組の録画開始時刻と、最後の番組の録画終了時刻にタイマー録画の設定を行うことが考えられる。この場合、複数の番組のそれぞれの単位時間は不明である。よって、このように、ユーザがマニュアルで録画開始時刻と録画終了時刻を入力してタイマー設定を行った場合や、録画予約ではなくリアルタイムで録画の開始操作又は録画の終了操作を行なった場合には、別途、ユーザが録画をしたい番組の単位時間を入力装置１４１を介してイベント処理部１４０に入力することが必要となる。
【００３９】
このことから、ユーザがマニュアルで録画開始時刻と録画終了時刻を入力してタイマー設定を行った場合や、録画予約ではなくリアルタイムで録画の開始操作又は録画の終了操作を行なった場合であって、番組エンドポイントサーチモードに入っている場合には、番組エンドポイントサーチ部１８１は、映像音声記録再生処理部１３０に指示を出して、表示装置１５１の画面表示にて、ユーザに対して単位時間の入力を促す。ユーザから入力装置１４１を介して単位時間が入力されると、単位時間取得部１４２は、ユーザが録画したい番組の単位時間を取得する。
【００４０】
ステップＳ５において、番組エンドポイントサーチ部１８１が番組エンド時刻を求めるに際しては、ユーザが録画した番組の上記単位時間の倍数であって、上記記録終了時刻（録画終了時刻４４）に対して最も近い時刻を番組エンド時刻として求める。具体的には、ユーザが録画した番組（「ドラマスペシャル」）４２の単位時間は１時間であり、記録終了時刻（録画終了時刻４４）は１９時１分であるから、単位時間の倍数であって、記録終了時刻に最も近い時刻である１９時０分が番組エンド時刻となる（図２の番組エンドポイント４６には、１９：００相当位置と表記されている）。単位時間が１時間の場合には、記録終了時刻（録画終了時刻４４）の分秒を“０”とした時刻が番組エンド時刻となる。
ステップＳ５の次に、ステップＳ６に進む。
【００４１】
［ステップＳ６]
ステップＳ６では、番組エンドポイントサーチ部１８１により、再生ファイルのオフセット位置（オフセット時間）が求められる。ここで、オフセット位置とは、後述するステップＳ７において、番組エンドポイント４６を求めるために用いられる。オフセット時間は、上記ステップＳ５で求められた番組エンド時刻から、上記ステップＳ４で求められた再生ファイルの記録開始時刻（録画開始時刻４３）を引くことにより求められる。
【００４２】
具体的には、本例において、番組エンド時刻は１９時０分であり、再生ファイルの記録開始時刻（録画開始時刻４３）は１７時５９分であるから、前者から後者を引いた１時間１分がオフセット時間とされる。このオフセット時間から、そのオフセット時間に対応するオフセット位置（データファイル上のオフセット時間に対応するポイント）を求めることができる。ステップＳ６の次に、ステップＳ７が求められる。
【００４３】
［ステップＳ７］
ステップＳ７では、番組エンドポイントサーチ部１８１により、再生ファイルの番組エンドポイント４６が求められる。番組エンドポイント４６は、再生ファイルのファイル先頭ポイント（再生ファイル上の録画開始時刻４３に対応する位置）に、上記ステップＳ６で求められたオフセット位置が加えられることで求められる。再生ファイルのファイル先頭ポイントは、再生ファイルにおいて物理的な意味での先頭の位置として求められる。
【００４４】
本例では、再生ファイルのファイル先頭ポイント（録画開始時刻４３である１７時５９分に対応する位置）と、オフセット位置（オフセット時間の１時間１分に対応する位置）とが加えられて、１９時０分に対応するポイントが番組エンドポイント４６として求められる。図２のイメージ画像４０において、番組エンドポイント４６が表示され、その表示には、上記ステップＳ５で求めた番組エンド時刻が１９時０分である旨が含まれる。ステップＳ７の次にステップＳ８が行われる。
【００４５】
［ステップＳ８］
ステップＳ８では、番組エンドポイントサーチ部１８１により、再生ファイルにおいて現在再生中のポイント（現在ポイント４７）が求められる。現在ポイント４７は、再生ファイルのファイル先頭ポイント（再生ファイル上で録画開始時刻４３に対応する位置）に、「現在ポイント４７までのオフセット位置（時間）」が加えられることにより求められる。
【００４６】
ここで、「現在ポイント４７までのオフセット位置（時間）」とは、映像音声記録再生処理部１３０にて再生ファイルのファイル先頭ポイント（録画開始時刻４３に対応）から再生ファイルを再生した時間である。その時間（現在ポイント４７までのオフセット時間）は、映像音声記録再生処理部１３０にて、再生ファイルの再生が開始されてから、タイマー１３２にて計時が開始され、記録再生装置１００の筐体の表示部（図示せず）において再生時間として、カウントアップされながら表示される。
【００４７】
なお、「現在ポイント４７までのオフセット位置（時間）」は、上記計時される方法に代えて、再生ファイルの先頭ポイントから現在までに読み出された（再生された）データ量に基づいて、求められることができる。
【００４８】
本例では、「現在ポイント４７までのオフセット位置（時間）」が１０分であるとすると、再生ファイルのファイル先頭ポイントが１７時５９分に対応しているから、現在ポイント４７は、再生ファイル上において１８時９分に対応する位置となる（図示せず）。図２では、イメージ画像４０において、現在ポイント４７が表示され、その表示には、「現在ポイント４７までのオフセット時間」が、６１分０秒であることが示されている。ステップＳ８の次にステップＳ９に進む。
【００４９】
［ステップＳ９］
ステップＳ９では、映像音声読み書き部１１２又は１２２により、現在ポイント４７から、再生ファイルのファイル終端方向に向かってｎ秒分の映像音声データが読み出されるとともに、番組エンドポイントサーチ部１８１によって、現在ポイント４７が更新される。即ち、現在ポイント４７に対して、データの読み出し量に対応するｎ秒相当分の位置が加算された値が新たな現在ポイント４７として更新される。ここで、ｎ秒分のデータの読み出しは、実時間としてｎ秒かけてデータを再生するのではなく、ｎ秒相当量のデータが読み出されれば足りる。ステップＳ９の次にステップＳ１０に進む。
【００５０】
［ステップＳ１０］
ステップＳ１０では、番組エンドポイントサーチ部１８１により、現在ポイント４７が番組エンドポイント４６に達したか否かが判定される。その判定の結果、現在ポイント４７が番組エンドポイント４６に達していない場合には、ステップＳ９に戻り、現在ポイント４７が番組エンドポイント４６に達した場合には、ステップＳ１１に進む。
【００５１】
本例では、再生ファイルのファイル先頭ポイントが１７時５９分に対応しているから、「現在ポイント４７までのオフセット位置（時間）」が６１分であるときに、現在ポイント４７は１９時００分に対応する位置となり、番組エンドポイント４６に一致する（図２では、この状態を示している）。
【００５２】
［ステップＳ１１］
ステップＳ１１では、映像音声記録再生処理部１３０により、再生ファイルが再生された状態からポーズ状態に移行される。上記ステップＳ９において、ｎが小さな値に設定されていれば、現在ポイント４７が番組エンドポイント４６である時点にて、再生ファイルはポーズ状態となって待機される。これにより、ユーザは、番組エンドポイント４６をサーチすることができる。
【００５３】
以上述べたように、本実施形態によれば、録画したデータファイルの中から番組エンドポイント４６を正確に求めることができるため、データファイルのうち、番組エンドポイント４６以降の不要な部分を削除することができる。
【００５４】
以上のように、番組エンドポイントを求めるに際しては、まず、その番組の単位時間を取得し、記録終了時刻に対して、単位時間の倍数に最も近い時刻として、番組エンド時刻を求め（ステップＳ５）、その番組エンド時刻に基づいて、番組エンドポイントを求める（ステップＳ６、ステップＳ７）。例えば、単位時間が１５分である（ある番組が１５分番組である）場合、記録終了時刻が２３時４７分であれば、記録終了時刻に対して、単位時間の倍数（１５、３０、４５、６０＝０）に最も近い時刻として、２３時４５分が番組エンド時刻として求められる（ステップＳ５）。これは、番組の開始時刻の時分が切りの良い時間（例えば何時０分とか何時３０分）に設定されていることが多いという前提に基づいている。
【００５５】
上記実施形態において、番組エンドポイント４６は、再生ファイルのファイル先頭ポイントと、オフセット位置とに基づいて求められたが（ステップＳ７）、この求め方に限定されない。例えば、再生ファイルの記録開始時刻（録画開始時刻４３）及びファイルサイズから求めた再生時間（ステップＳ４）と、番組エンド時刻（ステップＳ５）とに基づいて、データファイル上において番組エンド時刻に対応するポイントとして、番組エンドポイントを求めることができる。
【００５６】
上記実施形態によれば、番組のデータファイルの中から番組エンドポイント４６を容易にサーチすることができる。この場合、表示装置１５１の再生画面上でユーザに番組エンドポイント４６を探させることなく、即ち、ユーザは再生画面を一切確認することなしに、現在ポイント４７を番組エンドポイント４６の位置まで移動させることができる。番組エンドサーチキー３１を押すと、番組エンドポイント４６の位置までスキップして到達するため、ユーザは従来のように煩わしい作業（目視確認）をする必要がなくなる。
【００５７】
（第１実施形態の変形例）
次に、図４を参照して、上記第１実施形態の変形例について説明する。
【００５８】
上記実施形態では、番組エンドポイントと現在ポイントとを求め、それら番組エンドポイントと現在ポイントとの比較（ステップＳ７〜ステップＳ１０）、即ち、データファイル上の位置（ポイント）同士の比較に基づいて、番組エンドポイントをサーチした。これに代えて、本変形例では、図４に示すように、番組エンド時刻と現在時刻（現在ポイント４７に対応する時刻）を求め（ステップＳ５、ステップＳ６）、それら番組エンド時刻と現在時刻との比較（ステップＳ５〜ステップＳ８）、即ち、データファイル上の時刻（録画された時刻）同士の比較に基づいて、番組エンドポイントをサーチすることができる。
【００５９】
なお、図４のステップＳ６において、カウンタ上の時間（オフセット時間）とは、図３のステップＳ８の「現在ポイント４７までのオフセット時間」に対応しており、記録再生装置１００にて再生ファイルのファイル先頭ポイント（録画開始時刻４３に対応）から再生ファイルを再生した時間である。現在時刻は、記録開始時刻４３から上記カウンタ上の時間（オフセット時間）だけ経過した時間として、求められる。
【００６０】
（第２実施形態）
次に、図５を参照して、第２実施形態について説明する。
【００６１】
上記第１実施形態では、番組エンドポイントがサーチされたのに対して、第２実施形態では、番組スターチポイントがサーチされる。第２実施形態において、上記第１実施形態と共通する部分についての重複する説明は省略する。
【００６２】
［ステップＳ１］
ステップＳ１では、映像音声記録再生処理部１３０により、番組スタートサーチキー３２がユーザにより操作されて押し下げられている（番組スタートポイントサーチ指令が入力されている）か否かが判定される。番組スタートサーチキー３２では、スタートポイントのサーチの対象となる番組が指定される。
【００６３】
番組スタートサーチキー３２が押し下げられているときに、番組スタートポイントサーチモードに入り、番組スタートポイントサーチ部１８２が、映像音声記録媒体１１１又は１２１に録画されたサーチの対象となる番組のデータファイルの中から、番組のスタートポイント（番組スタートポイント４５）をサーチする。
【００６４】
ここで、番組スタートポイント４５とは、ファイルデータ上において、録画された番組が開始された時刻に対応する位置を意味している。ステップＳ１の判定の結果、番組スタートサーチキー３２が押し下げられているときには、ステップＳ２に進む（そうでない場合には、番組スタートサーチキー３２が押し下げられるまで、ステップＳ１で待機状態とされる）。
【００６５】
［ステップＳ２］
ステップＳ２において、映像音声記録再生処理部１３０は、サーチの対象となっている番組のデータファイルが映像音声読み書き部１１２又は１２２によって、再生中であるか否かを判定する。ステップＳ２の判定の結果、ファイルデータの再生中であるときに、ステップＳ３に進む（そうでない場合には、ステップＳ１に戻る）。
【００６６】
［ステップＳ３］
ステップＳ３では、映像音声記録再生処理部１３０により、再生中のデータファイル（再生ファイル）のデータ上において、番組スタートポイント４５を算出済みか否かが判定される。ステップＳ３の判定の結果、番組スタートポイントを算出済みであれば（ステップＳ３−Ｙ）、以下のステップＳ４〜ステップＳ７の番組スタートポイントを算出するためのステップは行なわれずに、ステップＳ８に進む。一方、番組スタートポイントを算出済みではない場合には、ステップＳ４に進む。
【００６７】
［ステップＳ４］
ステップＳ４では、番組スタートポイントサーチ部１８２によって、上記図３のステップＳ４と同様に、再生ファイルの記録開始時刻（録画開始時刻４３）が求められる。ここでは、再生ファイルの記録開始時刻は、再生ファイルの記録終了時刻（録画終了時刻４４）から、再生ファイルのデータサイズから求められる再生ファイルの再生時間を引いた時刻に相当する。
【００６８】
上記第１実施形態と同じ具体例を用いると、再生ファイルの記録終了時刻（録画終了時刻４４）は、１９時１分であり、再生ファイルの再生時間は、１時間２分である。この場合、再生ファイルの記録開始時刻は、１９時１分から１時間２分を引いた、１７時５９分となる。ステップＳ４の次にステップＳ５が行われる。
【００６９】
［ステップＳ５］
ステップＳ５では、番組スタートポイントサーチ部１８２によって、再生ファイルの番組スタート時刻（番組スタートポイント４５に対応する時刻）が求められる。ここで、番組スタート時刻を求めるに際しては、上記図３のステップＳ５と同様に、録画した番組の単位時間のデータが必要とされる。
【００７０】
ステップＳ５において、番組スタート時刻を求めるに際しては、ユーザが録画した番組の上記単位時間の倍数であって、上記記録開始時刻に対して最も近い時刻を番組スタート時刻として求める。具体的には、ユーザが録画した番組（「ドラマスペシャル」）４２の単位時間は１時間であり、記録開始時刻（録画開始時刻４３）は１７時５９分であるから、単位時間の倍数であって、記録開始時刻に最も近い時刻である１８時０分が番組スタート時刻となる（図２の番組スタートポイント４５には、１８：００相当位置と表記されている）。ステップＳ５の次に、ステップＳ６に進む。
【００７１】
［ステップＳ６］
ステップＳ６では、番組スタートポイントサーチ部１８２によって、再生ファイルのオフセット位置（時間）が求められる。ここで、オフセット位置とは、後述するステップＳ７において、番組スタートポイントを求めるために用いられる。オフセット時間は、上記ステップＳ５で求められた番組スタート時刻から、上記ステップＳ４で求められた再生ファイルの記録開始時刻を引くことにより求められる。
【００７２】
具体的には、本例において、番組スタート時刻は１８時０分であり、再生ファイルの記録開始時刻（録画開始時刻４３）は１７時５９分であるから、前者から後者を引いた１分がオフセット時間とされる。このオフセット時間から、そのオフセット時間に対応するオフセット位置（データファイル上のオフセット時間に対応するポイント）を求めることができる。ステップＳ６の次に、ステップＳ７が求められる。
【００７３】
［ステップＳ７］
ステップＳ７では、番組スタートポイントサーチ部１８２によって、再生ファイルの番組スタートポイント４５が求められる。番組スタートポイント４５は、再生ファイルのファイル先頭ポイント（再生ファイル上の録画開始時刻４３に対応する位置）に、上記ステップＳ６で求められたオフセット位置が加えられることで求められる。再生ファイルのファイル先頭ポイントは、再生ファイルにおいて物理的な意味での先頭の位置として求められる。
【００７４】
本例では、再生ファイルのファイル先頭ポイント（録画開始時刻４３である１７時５９分に対応する位置）と、オフセット位置（１分に対応する位置）とが加えられて、１８時０分に対応するポイントが番組スタートポイント４５として求められる。図２のイメージ画像４０において、番組スタートポイント４５が表示され、その表示には、番組スタート時刻は１８時０分である旨が含まれる。ステップＳ７の次にステップＳ８が行われる。
【００７５】
［ステップＳ８］
ステップＳ８では、番組スタートポイントサーチ部１８２により、上記図３のステップＳ８と同様に、再生ファイルにおいて現在再生中のポイント（現在ポイント）が求められる。現在ポイント４７は、再生ファイルのファイル先頭ポイント（再生ファイル上で録画開始時刻４３に対応する位置）に、現在ポイント４７までのオフセット位置（時間）が加えられることにより求められる。
【００７６】
本例では、現在ポイント４７までのオフセット位置（時間）が１０分であるとすると、再生ファイルのファイル先頭ポイントが１７時５９分に対応しているから、現在ポイント４７は、再生ファイル上において１８時９分に対応する位置となる（図示せず）。図２では、イメージ画像４０において、現在ポイント４７が表示され、その表示には、現在ポイント４７までのオフセット時間が、６１分０秒であることが示されている。ステップＳ８の次にステップＳ９に進む。
【００７７】
［ステップＳ９］
ステップＳ９では、映像音声読み書き部１１２又は１２２により、現在ポイント４７から、再生ファイルのファイル先頭方向に向かってｎ秒分の映像音声データが読み出されるとともに、現在ポイント４７が更新される。即ち、現在ポイント４７に対して、データの読み出し量に対応するｎ秒相当分の位置が減算された値が新たな現在ポイント４７として更新される。ステップＳ９の次にステップＳ１０に進む。
【００７８】
［ステップＳ１０］
ステップＳ１０では、番組スタートポイントサーチ部１８２により、現在ポイント４７が番組スタートポイント４５に達したか否かが判定される。その判定の結果、現在ポイント４７が番組スタートポイント４５に達していない場合には、ステップＳ９に戻り、現在ポイント４７が番組スタートポイント４５に達した場合には、ステップＳ１１に進む。
【００７９】
本例では、再生ファイルのファイル先頭ポイントが１７時５９分に対応しているから、現在ポイント４７までのオフセット位置（時間）が１分であるときに、現在ポイント４７は１８時００分に対応する位置となり、番組スタートポイント４５に一致する（図示せず）。
【００８０】
［ステップＳ１１］
ステップＳ１１では、映像音声記録再生処理部１３０により、再生ファイルが再生された状態からポーズ状態に移行される。上記ステップＳ９において、ｎが小さな値に設定されていれば、現在ポイント４７が番組スタートポイント４５である時点にて、再生ファイルはポーズ状態となって待機される。これにより、ユーザは、番組スタートポイント４５をサーチすることができる。
【００８１】
以上述べたように、本実施形態によれば、録画したデータファイルの中から番組スタートポイント４５を正確に求めることができるため、データファイルのうち、番組スタートポイント４５以前の不要な部分を削除することができる。
【００８２】
以上のように、番組スタートポイントを求めるに際しては、まず、その番組の単位時間を取得し、記録開始時刻に対して、単位時間の倍数に最も近い時刻として、番組スタート時刻を求め（ステップＳ５）、その番組スタート時刻に基づいて、番組スタートポイントを求める（ステップＳ６、ステップＳ７）。例えば、単位時間が１５分である場合、記録開始時刻が２２時５７分であれば、記録開始時刻に対して、単位時間の倍数（１５、３０、４５、６０＝０）に最も近い時刻として、２３時００分が番組スタート時刻として求められる。これは、番組の開始時刻の時分が切りの良い時間（例えば何時０分とか何時３０分）に設定されていることが多いという前提に基づいている。
【００８３】
上記実施形態において、番組スタートポイント４５は、再生ファイルのファイル先頭ポイントと、オフセット位置とに基づいて求められたが（ステップＳ７）、この求め方に限定されない。例えば、再生ファイルの記録開始時刻（録画開始時刻４３）及びファイルサイズから求めた再生時間（ステップＳ４）と、番組スタート時刻（ステップＳ５）とに基づいて、データファイル上において番組スタート時刻に対応するポイントとして、番組スタートポイントを求めることができる。
【００８４】
また、上記実施形態では、番組スタートポイントと現在ポイントとを求め、それら番組スタートポイントと現在ポイントとの比較（ステップＳ７〜ステップＳ１０）、即ち、データファイル上の位置（ポイント）同士の比較に基づいて、番組スタートポイントをサーチしていた。これに代えて、上記第１実施形態（図３）とその変形例（図４）との関係のように、番組スタート時刻と現在時刻を求め、それら番組スタート時刻と現在時刻との比較、即ち、データファイル上の時刻（録画された時刻）同士の比較に基づいて、番組スタートポイントをサーチすることができる。
【００８５】
なお、ある番組について、必ず番組開始時刻から所定時間（例えば１分間）だけはＣＭ（コマーシャル）が放送されることが分っている場合には、ユーザは、予めマニュアルでその所定時間を入力設定しておくことで、上記図５の動作で求めた番組スタートポイント４５に対して、上記所定時間に対応する位置だけずらした位置に番組スタートポイントを設定（補正）することができる。
【００８６】
（第３実施形態）
次に、図６を参照して、第３実施形態について説明する。
第３実施形態において、上記実施形態と同様の部分についての説明は省略する。
【００８７】
第３実施形態は、高速再生（早送り）中に番組エンドポイント４６を検出すると、再生状態を変化させる動作が行われる。
【００８８】
［ステップＳ１］
ステップＳ１では、映像音声記録再生処理部１３０により、入力装置１４１の早送り再生キーが押し下げられたか否かが判定される。早送り再生キーが押し下げられた場合にステップ２に進む。第３実施形態では、早送り再生しながら番組エンドポイント４６を検出する。
【００８９】
［ステップＳ２］から［ステップＳ９］
ステップＳ２からステップＳ９は、上記図３のステップＳ２からステップＳ９と同じであるため、その説明を省略する。
【００９０】
［ステップＳ１０］
ステップＳ１０では、現在ポイント４７の静止画像が表示装置１５１に表示される。上記ステップＳ１により、早送り再生中であるが、ステップＳ１０では、その早送り再生が中断されて、現在ポイント４７の静止画像が表示される。上記ステップＳ９では、ｎ秒毎に現在ポイント４７が更新されるので、ステップＳ１０では、ｎ秒毎に静止画像がスキャン再生（スキップ再生）される。これにより、ユーザは、番組のどの辺りを再生中であるかを知ることができる。ステップＳ１０の次にはステップＳ１１に進む。
【００９１】
［ステップＳ１１］
ステップＳ１１は、上記図３のステップＳ１０と同じであるため、その説明を省略する。現在ポイント４７が番組エンドポイント４６に達していない場合（ステップＳ１１−Ｎ）には、現在ポイント４７が更新されるとともに（ステップＳ９）、その更新された静止画像が表示装置１５１に表示される（ステップＳ１０）。
【００９２】
［ステップＳ１２］
ステップＳ１２では、予めユーザにより設定された再生状態に移行する。上記図３のステップＳ１１では、ポーズ状態に移行したが、このステップＳ１２では、ポーズ状態を含む予めユーザにより設定された再生状態に移行する。そのユーザにより予め設定可能な再生状態には、ポーズ状態、通常再生、ステップＳ１で開始された早送り再生とは、速度の異なる早送り再生、早戻り再生、スロー再生などが含まれる。
【００９３】
第３実施形態によれば、高速再生（早送り）中に番組エンドポイント４６を検出したときに、ユーザが予め指定した再生状態に移行させることができる。
【００９４】
（第４実施形態）
図７を参照して、第４実施形態について説明する。
第４実施形態において、上記実施形態と同様の部分についての説明は省略する。
【００９５】
第４実施形態は、高速再生（早戻し）中に番組スタートポイント４５を検出すると、再生状態を変化させる動作が行われる。
【００９６】
［ステップＳ１］
ステップＳ１では、映像音声記録再生処理部１３０により、入力装置１４１の早戻し再生キーが押し下げられたか否かが判定される。早戻し再生キーが押し下げられた場合にステップ２に進む。第４実施形態では、早戻し再生しながら番組スタートポイント４５を検出する。
【００９７】
［ステップＳ２］から［ステップＳ９］
ステップＳ２からステップＳ９は、上記図５のステップＳ２からステップＳ９と同じであるため、その説明を省略する。
【００９８】
［ステップＳ１０］
ステップＳ１０では、現在ポイント４７の静止画像が表示装置１５１に表示される。上記ステップＳ１から早戻し再生中であるが、ステップＳ１０では、その早戻し再生が中断されて、現在ポイント４７の静止画像が表示装置１５１に表示される。上記ステップＳ９では、ｎ秒毎に現在ポイント４７が更新されるので、ステップＳ１０では、ｎ秒毎に静止画像がスキャン再生（スキップ再生）される。これにより、ユーザは、番組のどの辺りを再生中であるかを知ることができる。
【００９９】
［ステップＳ１１］
ステップＳ１１は、上記図５のステップＳ１０と同じであるため、その説明を省略する。
【０１００】
［ステップＳ１２］
ステップＳ１２では、予めユーザにより設定された再生状態に移行する。上記図５のステップＳ１１では、ポーズ状態に移行したが、このステップＳ１２では、ポーズ状態を含む予めユーザにより設定された再生状態に移行する。そのユーザにより予め設定可能な再生状態には、ポーズ状態、通常再生、ステップＳ１で開始された早戻し再生とは、速度の異なる早戻し再生、早送り再生、スロー再生などが含まれる。
【０１０１】
第４実施形態によれば、高速再生（早戻し）中に番組スタートポイント４５を検出したときに、ユーザが予め指定した再生状態に移行させることができる。
【０１０２】
（第５実施形態）
次に、図８を参照して、第５実施形態について説明する。
第５実施形態において、上記実施形態と同様の部分についての説明は省略する。
【０１０３】
第５実施形態は、ＨＤＤ装置である第１の映像音声記録部１１０の映像音声記録媒体１１１に録画されたデータファイルの中から所望の番組の番組エンドポイントがサーチされている場合に、その番組の番組スタートポイントをサーチするとともに、その番組をＤＶＤ装置である第２の映像音声記録部１２０の映像音声記録媒体１２１に録画する動作が行われる。
【０１０４】
［ステップＳ１］
ステップＳ１では、映像音声記録再生処理部１３０により、入力装置１４１のスリムダビングキーが押し下げられたか否かが判定される。スリムダビングキーが押し下げられた場合にステップ２に進む。第５実施形態では、スリムダビングキーの入力に基づいて、上記ＨＤＤ装置１１０に録画された番組を、番組以外の部分をカットした状態で、ＨＤＤ装置１１０から上記ＤＶＤ装置１２０に録画する。
【０１０５】
［ステップＳ２］
ステップＳ２では、映像音声記録再生処理部１３０により、対象ファイルが指定されているか否かが判定される。対象ファイルとは、上記ＨＤＤ装置１１０の映像音声記録媒体１１１に録画されたデータファイルであって、上記ＨＤＤ装置１１０から上記ＤＶＤ装置１２０に録画したい番組のデータファイルである。対象ファイルが指定されている場合に、ステップＳ３に進み、そうでない場合にはステップＳ１に戻る。
【０１０６】
［ステップＳ３］から［ステップＳ７］
ステップＳ３からステップＳ７は、上記図５のステップＳ３からステップＳ７と同じであるため、その説明を省略する。ステップＳ４からステップＳ７により、対象ファイルの番組スタートポイント４５が求められる。
【０１０７】
［ステップＳ８］
ステップＳ８では、映像音声記録再生処理部１３０により、上記ＤＶＤ装置１２０の映像音声読み書き部１２２が録画待機（ポーズ）状態とされる。ステップＳ８の次に、ステップＳ９に進む。
【０１０８】
［ステップＳ９］
ステップＳ９では、上記ＨＤＤ装置１１０の映像音声読み書き部１１２により、映像音声記録媒体１１１の上記ステップＳ２で指定が確認された対象ファイルがオープンされ、その対象ファイルのファイル先頭ポイント（録画開始時刻４３に対応する位置）がサーチされる。ステップＳ９の次にステップＳ１０に進む。
【０１０９】
［ステップＳ１０］
ステップＳ１０では、映像音声読み書き部１１２により、現在ポイント（最初はファイル先頭ポイント）４７から対象ファイルのファイル終端方向に向かってｎ秒分の映像音声データが読み出されるとともに、現在ポイント４７が更新される。即ち、現在ポイント４７に対して、データの読み出し量に対応するｎ秒相当分の位置が加算された値が新たな現在ポイント４７として更新される。ステップＳ１０の次にステップＳ１１に進む。
【０１１０】
［ステップＳ１１］
ステップＳ１１では、現在ポイント４７が番組スタートポイント４５に達したか否かが判定される。その判定に結果、現在ポイント４７が番組スタートポイント４５に達していれば、ステップＳ１２に進み、そうでない場合にはステップＳ１０に戻る。
【０１１１】
［ステップＳ１２］
ステップＳ１２では、映像音声記録再生処理部１３０により、上記ＤＶＤ装置１２０の映像音声読み書き部１２２が録画状態（ポーズ解除）とされる。これにより、上記ＤＶＤ装置１２０は、上記ＨＤＤ装置１１０の対象ファイルを、その番組スタートポイント４５から録画する。ステップＳ１２の次にステップＳ１３に進む。
【０１１２】
［ステップＳ１３］
ステップＳ１３では、映像音声読み書き部１１２により、対象ファイルから映像音声データが読み出されて再生されるとともに、現在ポイント４７が更新される。即ち、現在ポイント４７に対して、データの読み出し量に対応する再生時間に対応する位置が加算された値が新たな現在ポイント４７として更新される。ステップＳ１３の次にステップＳ１４に進む。
【０１１３】
［ステップＳ１４］
ステップＳ１４では、現在ポイント４７が番組エンドポイント４６に達したか否かが判定される。その判定の結果、現在ポイント４７が番組エンドポイント４６に達していれば、ステップＳ１５に進み、そうでない場合にはステップＳ１３に戻る。
【０１１４】
［ステップＳ１５］
ステップＳ１５において、映像音声記録再生処理部１３０は、上記ＤＶＤ装置１２０の映像音声読み書き部１２２による録画を停止させる。
【０１１５】
第５実施形態によれば、上記ＨＤＤ装置１１０に録画された番組を、番組以外の部分をカットした状態で、ＨＤＤ装置１１０から上記ＤＶＤ装置１２０に録画することができる。
【０１１６】
（第６実施形態）
次に、図９を参照して、第６実施形態について説明する。
第６実施形態において、上記実施形態と同様の部分についての説明は省略する。
【０１１７】
第６実施形態は、ＨＤＤ装置である第１の映像音声記録部１１０の映像音声記録媒体１１１に録画されたデータファイルの中から所望の番組の番組エンドポイントがサーチされている場合に、その番組の番組スタートポイントをサーチするとともに、その番組を同じくＨＤＤ装置１１０の映像音声記録媒体１１１に別ファイルとして、ファイルコピーする動作が行われる。
【０１１８】
［ステップＳ１］
ステップＳ１では、映像音声記録再生処理部１３０により、入力装置１４１のファイルスリムキーが押し下げられたか否かが判定される。ファイルスリムキーが押し下げられた場合にステップ２に進む。第６実施形態では、ファイルスリムキーの入力に基づいて、上記ＨＤＤ装置１１０に録画された番組を、番組以外の部分をカットした状態で、ＨＤＤ装置１１０に別ファイルとしてファイルコピーする。
【０１１９】
［ステップＳ２］から［ステップＳ７］
ステップＳ２からステップＳ７は、上記図８のステップＳ２からステップＳ７と同様であるため、その説明を省略する。ここまでで、対象ファイルの番組スタートポイント４５が求められる。
【０１２０】
［ステップＳ８］
ステップＳ８では、ＨＤＤ装置１１０の映像音声記録媒体１１１において、コピー先の（別ファイルとしてコピーされる先の）ファイルがオープンにされ、ファイル先頭位置がサーチされる。ステップＳ８の次に、ステップＳ９に進む。
【０１２１】
［ステップＳ９］
ステップＳ９では、ＨＤＤ装置１１０の映像音声記録媒体１１１において、対象（コピー元の）ファイルがオープンにされ、ファイル先頭位置がサーチされる。ステップＳ９の次に、ステップＳ１０に進む。
【０１２２】
［ステップＳ１０］から［ステップＳ１２］
ステップＳ１０からステップＳ１２は、上記図８のステップＳ１０、ステップＳ１１、ステップＳ１３と同様であるため、その説明を省略する。ステップＳ１２の次にステップＳ１３に進む。
【０１２３】
［ステップＳ１３］から［ステップＳ１６］
ステップＳ１３では、対象ファイルから読み出された映像音声データがコピー先のファイルに書き込まれる。ステップＳ１２とステップＳ１３の動作は、現在ポイント４７が番組エンドポイント４６に達するまで継続的に行なわれ（ステップＳ１４）、現在ポイント４７が番組エンドポイント４６に達したらコピー先のファイルがクローズされ（ステップＳ１５）、対象（コピー元）ファイルがクローズされる（ステップＳ１６）。
【０１２４】
第６実施形態によれば、上記ＨＤＤ装置１１０に録画された番組を、番組以外の部分をカットした状態で、ＨＤＤ装置１１０に別ファイルとしてファイルコピーすることができる。なお、ファイルコピー先は、ＤＶＤ装置１２０であってもよい。
【０１２５】
なお、上記実施形態の記録再生装置は、ＨＤＤ付ＤＶＤ記録再生装置１００として説明したが、これに限定されない。例えば、ＤＶＤ記録再生装置、ＨＤＤ記録再生装置、又は、ＨＤＤ付ビデオテープ記録再生装置のような記録再生装置が含まれる。更に、映像音声データのみならず、音声データのみを対象とするオーディオ機器、例えばＨＤＤオーディオレコーダや、ＣＤＲ記録機能付きＨＤＤオーディオレコーダになどに適用可能である。また、今後予想されるＢｌｕｅ−Ｒａｙレコーダなどの大容量ディスクレコーダとＤＶＤレコーダ（またはＶＴＲ、ＨＤＤ記録再生装置）とを組み合わせた装置などにも適用可能である。
【０１２６】
上記実施形態では、以下の項が開示される。
【０１２７】
（項１）
番組を含むコンテンツが記録されたファイルにおいて前記コンテンツの終了位置をサーチする記録再生装置であって、前記ファイルの記録が終了した時間と、前記コンテンツの時間の長さに基づいて、前記ファイルにおける前記コンテンツの終了位置をサーチすることを特徴とする記録再生装置。
【０１２８】
項１によれば、番組を含むコンテンツが記録されたファイルにおいてコンテンツの終了位置を容易にサーチすることが可能となる。
【０１２９】
（項２）
番組を含むコンテンツが記録されたファイルにおいて前記コンテンツの開始位置をサーチする記録再生装置であって、前記ファイルの記録が開始された時間と、前記コンテンツの時間の長さに基づいて、前記ファイルにおける前記コンテンツの開始位置をサーチすることを特徴とする記録再生装置。
【０１３０】
項２によれば、番組を含むコンテンツが記録されたファイルにおいてコンテンツの開始位置を容易にサーチすることが可能となる。
【０１３１】
（項３）
番組を含むコンテンツが記録されたファイルにおいて前記コンテンツの終了位置をサーチする記録再生装置であって、前記ファイルの記録が終了した時点の前記ファイルのデータ量と、前記コンテンツのデータ量に基づいて、前記ファイルにおける前記コンテンツの終了位置をサーチすることを特徴とする記録再生装置。
【０１３２】
項３によれば、番組を含むコンテンツが記録されたファイルにおいてコンテンツの終了位置を容易にサーチすることが可能となる。
【０１３３】
（項４）
番組を含むコンテンツが記録されたファイルにおいて前記コンテンツの開始位置をサーチする記録再生装置であって、前記ファイルの記録が終了した時点の前記ファイルのデータ量と、前記コンテンツのデータ量に基づいて、前記ファイルにおける前記コンテンツの開始位置をサーチすることを特徴とする記録再生装置。
【０１３４】
項４によれば、番組を含むコンテンツが記録されたファイルにおいてコンテンツの開始位置を容易にサーチすることが可能となる。
【図面の簡単な説明】
【０１３５】
【図１】本発明の記録再生装置の第１実施形態の概略構成を示すブロック図である。
【図２】本発明の記録再生装置の第１実施形態によって表示される表示画面の一例を示す図である。
【図３】本発明の記録再生装置の第１実施形態の動作を示すフローチャート図である。
【図４】本発明の記録再生装置の第１実施形態の変形例の動作を示すフローチャート図である。
【図５】本発明の記録再生装置の第２実施形態の動作を示すフローチャート図である。
【図６】本発明の記録再生装置の第３実施形態の動作を示すフローチャート図である。
【図７】本発明の記録再生装置の第４実施形態の動作を示すフローチャート図である。
【図８】本発明の記録再生装置の第５実施形態の動作を示すフローチャート図である。
【図９】本発明の記録再生装置の第６実施形態の動作を示すフローチャート図である。
【符号の説明】
【０１３６】
３１  番組エンドサーチキー
３２  番組スタートサーチキー
４０  イメージ画像
４１  録画日付
４２  番組名
４３  録画開始時刻
４４  録画終了時刻
４５  番組スタートポイント
４６  番組エンドポイント
４７  現在ポイント
１００  記録再生装置
１１０  第１の映像音声記録部
１１１  映像音声記録媒体
１１２  映像音声読み書き部
１２０  第２の映像音声記録部
１２１  映像音声記録媒体
１２２  映像音声読み書き部
１３０  映像音声記録再生処理部
１３２  タイマー
１４０  イベント処理部
１４１  入力装置
１４２  単位時間取得部
１５０  表示回路
１５１  表示装置
１６０  音声再生回路
１６１  スピーカ
１７０  映像音声入力部
１７１  映像音声ソース
１８０  番組ポイントサーチ部
１８１  番組エンドポイントサーチ部
１８２  番組スタートポイントサーチ部
【図１】
2006179129.tif 000003
【図２】
2006179129.tif 000004
【図３】
2006179129.tif 000005
【図４】
2006179129.tif 000006
【図５】
2006179129.tif 000007
【図６】
2006179129.tif 000008
【図７】
2006179129.tif 000009
【図８】
2006179129.tif 000010
【図９】
2006179129.tif 000011